(57)【要約】【課題】電子メールを受信して、記録紙に記録出力を行う受信記録装置おいて、テキストデータを記録出力した際の出力結果の品質低下を避けることを目的する。【解決手段】テキストデータとして保存されたページについて、複数の記録紙に分割して記録することを禁止した上で、最適な記録紙を選択することにより、文字の途中でページが分割されることによる出力結果の品質低下を避けることができる。【選択図】図１
2007151002.tif 000002
【特許請求の範囲】
【請求項１】
複数のパートからなる電子メールを受信する電子メール受信手段と、
前記電子メール受信手段により受信した電子メールを解析し、テキストデータで構成されるパートをテキストデータとして保存するテキストデータ保存手段と、
前記テキストデータ保存手段により保存したテキストデータを、複数ページの画像データに変換するテキスト画像変換手段と、
前記電子メール受信手段により受信した電子メールを解析し、画像データで構成されるパートを複数ページの画像データとして保存する画像データ保存手段と、
ページ毎に画像情報、及び、記録紙サイズ情報をもとに、複数の記録紙に分割して記録することを禁止して特定の記録紙を選択する第１の記録紙選択手段と、
ページ毎に画像情報、及び、記録紙サイズ情報をもとに、複数の記録紙に分割して記録することを許可して特定の記録紙を選択する第２の記録紙選択手段と、
テキストデータとして保存されたページについては第１の記録紙選択手段により記録紙を選択し、画像データとして保存されたページについては第２の記録紙選択手段により記録紙を選択することを特徴とする受信記録装置。
【請求項２】
複数のパートからなる電子メールを受信する電子メール受信手段と、
前記電子メール受信手段により受信した電子メールを解析し、テキストデータで構成されるパートをテキストデータとして保存するテキストデータ保存手段と、
前記テキストデータ保存手段により保存したテキストデータを、複数ページの画像データに変換するテキスト画像変換手段と、
前記電子メール受信手段により受信した電子メールを解析し、画像データで構成されるパートを複数ページの画像データとして保存する画像データ保存手段と、
ページ毎に画像情報、及び、記録紙サイズ情報をもとに、複数の記録紙に分割して記録することを禁止して特定の記録紙を選択する第１の記録紙選択手段と、
ページ毎に画像情報、及び、記録紙サイズ情報をもとに、複数の記録紙に分割して記録することを許可して特定の記録紙を選択する第２の記録紙選択手段と、
テキストパートのページについて、複数ページに分割して記録することを許可するか、禁止するか設定する分割記録設定手段と、
テキストデータとして保存されたページについては前記分割記録設定手段により分割記録禁止に設定された場合第１の記録紙選択手段により、分割記録許可に設定された場合第２の記録紙選択手段により記録紙を選択し、画像データとして保存されたページについては第２の記録紙選択手段により記録紙を選択することを特徴とする受信記録装置。
【請求項３】
請求項１または２記載の受信記録装置において、
ファクシミリの受信を行うファクシミリ受信手段と、
前記ファクシミリ受信手段によりファクシミリ受信を行い、受信した画像データをページ毎に保存するファクシミリ画像データ保存手段と、
前記ファクシミリ画像データ保存手段により保存した画像データを前記第２の記録紙選択手段により記録紙を選択することを特徴とする受信記録紙装置。
【発明の詳細な説明】
【技術分野】
【０００１】
本発明は、電子メールを受信して、記録紙に記録出力を行う受信記録装置に関する。
【背景技術】
【０００２】
従来から、電子メールを受信して、受信したデータを自動的に記録紙に記録出力を行う受信記録装置がある。例えばインターネットＦＡＸ装置が含まれる。
【０００３】
電子メールのフォーマットとして用いられているＭＩＭＥ（ＲＦＣ２０４６／２０４５）フォーマットでは、１つのメールに、テキスト情報や画像情報を複数混在させることが可能になっている。インターネットファクシミリ装置（以下ＩＦＡＸ装置という）では、受信した電子メールのヘッダー情報や本文テキストデータ、また、画像データを、ファクシミリ装置（以下ＦＡＸ装置という）でＦＡＸ受信した場合と同様に記録出力することが可能になっている。ここで、１ページを超える長さのヘッダー情報や本文テキストデータは、文字フォントを使用して、予め、複数ページからなる画像データとして保存される。
【０００４】
一方、ＦＡＸ装置においては、ＦＡＸ受信した画像データの画素数、解像度などの画像情報、記録紙の紙サイズなどの情報を元に複数の記録紙の中から最適な記録紙を選択し、必要に応じ、画像を縮小して記録出力する縮小記録、１ページの画像データを複数ページに分割して記録出力する分割記録、画像より大きい記録紙に余白を付けて記録出力する余白記録などの機能を有するものがある。
【０００５】
ところで、上述したテキストデータ及びイメージデータを含むマルチパートのデータを受信して出力する場合には、テキストデータとイメージデータを区別して出力することが考えられる。この場合、例えば、テキストデータ領域に印字すべきデータがない場合には印字せず、イメージデータ領域のみを印刷するというようなことが可能になっている（例えば、特許文献１参照）。
【特許文献１】特開２００５−９４８０８号公報
【発明の開示】
【発明が解決しようとする課題】
【０００６】
しかしながら、ヘッダー情報や本文テキストデータのように文字データから生成された画像データについて、従来のＦＡＸ装置における記録紙選択方法を適用すると、分割記録により、図４のように文字の途中でページが分割される可能性があり、出力結果が見辛くなるという問題があった。
【０００７】
上記課題を鑑み、本発明は、電子メールを受信して、記録紙に記録出力を行う受信記録装置おいて、テキストデータを記録出力した際の出力結果の品質低下を避けることを目的とする。
【課題を解決するための手段】
【０００８】
上記目的を達成すべく、本発明にかかる受信記録装置は主として以下の構成を備えることを特徴とする。
【０００９】
すなわち、複数のパートからなる電子メールを受信する電子メール受信手段と、前記電子メール受信手段により受信した電子メールを解析し、テキストデータで構成されるパートをテキストデータとして保存するテキストデータ保存手段と、前記テキストデータ保存手段により保存したテキストデータを、複数ページの画像データに変換するテキスト画像変換手段と、前記電子メール受信手段により受信した電子メールを解析し、画像データで構成されるパートを複数ページの画像データとして保存する画像データ保存手段と、ページ毎に画像情報、及び、記録紙サイズ情報をもとに、複数の記録紙に分割して記録することを禁止して特定の記録紙を選択する第１の記録紙選択手段と、ページ毎に画像情報、及び、記録紙サイズ情報をもとに、複数の記録紙に分割して記録することを許可して特定の記録紙を選択する第２の記録紙選択手段と、テキストデータとして保存されたページについては第１の記録紙選択手段により記録紙を選択し、画像データとして保存されたページについては第２の記録紙選択手段により記録紙を選択することを特徴とする。
【００１０】
また、複数のパートからなる電子メールを受信する電子メール受信手段と、前記電子メール受信手段により受信した電子メールを解析し、テキストデータで構成されるパートをテキストデータとして保存するテキストデータ保存手段と、前記テキストデータ保存手段により保存したテキストデータを、複数ページの画像データに変換するテキスト画像変換手段と、前記電子メール受信手段により受信した電子メールを解析し、画像データで構成されるパートを複数ページの画像データとして保存する画像データ保存手段と、ページ毎に画像情報、及び、記録紙サイズ情報をもとに、複数の記録紙に分割して記録することを禁止して特定の記録紙を選択する第１の記録紙選択手段と、ページ毎に画像情報、及び、記録紙サイズ情報をもとに、複数の記録紙に分割して記録することを許可して特定の記録紙を選択する第２の記録紙選択手段と、テキストパートのページについて、複数ページに分割して記録することを許可するか、禁止するか設定する分割記録設定手段と、テキストデータとして保存されたページについては前記分割記録設定手段により分割記録禁止に設定された場合第１の記録紙選択手段により、分割記録許可に設定された場合第２の記録紙選択手段により記録紙を選択し、画像データとして保存されたページについては第２の記録紙選択手段により記録紙を選択することを特徴とする。
【００１１】
また、前記受信記録装置において、ファクシミリの受信を行うファクシミリ受信手段と、前記ファクシミリ受信手段によりファクシミリ受信を行い、受信した画像データをページ毎に保存するファクシミリ画像データ保存手段と、前記ファクシミリ画像データ保存手段により保存した画像データを前記第２の記録紙選択手段により記録紙を選択することを特徴とする。
【発明の効果】
【００１２】
本発明によれば、電子メールを受信して、記録紙に記録出力を行う受信記録装置おいて、テキストデータとして保存されたページについて、複数の記録紙に分割して記録することを禁止した上で、最適な記録紙を選択することにより、文字の途中でページが分割されることによる出力結果の品質低下を避けることができる。
【発明を実施するための最良の形態】
【００１３】
以下本発明を実施するための最良の形態を、実施例により詳しく説明する。
【実施例】
【００１４】
図１は、本発明の実施例である受信記録装置の構成を示すブロック図である。
【００１５】
図１において、受信記録装置１００は、ＣＰＵ１０１と、ＲＯＭ１０２と、ＲＡＭ１０３と、スキャナ１０４と、プリンタ１０５と、ＣＯＤＥＣ１０６と、操作表示部１０７と、回線Ｉ／Ｆ１０８と、ネットワークＩ／Ｆ１１０とを有する。
【００１６】
ＣＰＵ１０１は、システム制御部であり、受信記録装置１００の全体を制御する。
【００１７】
ＲＯＭ１０２は、ＣＰＵ１０１の制御プログラムを格納している。なお、上記制御プログラムは、以下に説明する上記実施例を実行する制御プログラムである。
【００１８】
ＲＡＭ１０３は、ＳＲＡＭ、ＤＲＡＭ等で構成され、実行プログラム、プログラム制御変数等を格納するものである。また、受信記録装置１００の使用者が登録した設定値や、受信記録装置１００の管理データ等や、各種ワーク用バッファも、ＲＡＭ１０３に格納される。
【００１９】
スキャナ１０４はＣＳイメージセンサ、原稿搬送機構などで構成され、原稿を光学的に読み取って電気的な画像データに変換するものである。
プリンタ１０５は受信画像やファイルデータを記録紙に記録する装置である。
【００２０】
ＣＯＤＥＣ１０６は、ＪＢＩＧ、ＪＰＥＧ等の符号化、および、復号化を行うモジュールであり、所定の規格に準拠した画像データの圧縮、伸張処理を実行する処理部である。
【００２１】
操作表示部１０７はキーボード、タッチパネル、ＬＣＤ、ＬＥＤ等で構成され、装置使用者が各種操作や、装置使用者に対して表示通知を行うものである。
【００２２】
回線Ｉ／Ｆ１０８は、モデム（変復調装置）、ＮＣＵ（網制御装置）等により構成されるものであり、電話回線１０９を介してＦＡＸの送受信を行うものである。
【００２３】
ネットワークＩ／Ｆ１１０は、ネットワーク１１１を介して電子メールの送受信を行うものである。
【００２４】
図２は、本発明における電子メール受信時の動作を示すフローチャートである。
【００２５】
図２において、電子メールを受信すると、Ｓ２０１において受信データを解析してテキストパートであるかどうか判断する。Ｓ２０１においてテキストパートであると判断するとＳ２０２において、受信したテキストデータを保存し、Ｓ２０３において、テキストデータを複数ページの画像データに変換・保存し、Ｓ２０４に進む。
【００２６】
Ｓ２０１においてテキストパートでないと判断すると、Ｓ２０５において、受信データを解析し画像パートであるかどうか判断する。Ｓ２０５において画像パートであると判断すると、Ｓ２０６において受信した画像データを保存し、Ｓ２０４に進む。Ｓ２０５において画像パートでないと判断するとＳ２０４に進む。
【００２７】
Ｓ２０４において、続きの電子メールデータがあると判断すると、Ｓ２０１に戻る。Ｓ２０４において続きの電子メールデータがないと判断すると、処理を終了する。
【００２８】
以上図２のフローにより、受信した電子メールのテキストパートのデータ、画像パートのデータのそれぞれが、画像データのページとして保存される。
【００２９】
図３は、本発明における電子メール記録時の最適記録紙選択の動作を示すフローチャートである。
【００３０】
図２の電子メール受信時の動作により、１ページ分の画像データが確定すると、図３のフローにより、そのページの画像データを記録出力するために、最適な記録紙が選択される。
【００３１】
受信電子メール１ページ分の画像データが確定すると、Ｓ３０１により、そのページがテキストパートのページがどうか判断する。Ｓ３０１において、テキストパートであると判断すると、Ｓ３０２において、テキストパートの分割記録を許可するかどうか判断する。Ｓ３０２においてテキストパートの分割記録を許可しないと判断すると、Ｓ３０３において分割記録＝禁止と設定してＳ３０４の最適記録紙選択を行う。Ｓ３０１において、テキストパートでない、また、Ｓ３０２においてテキストパートの分割記録許可すると判断した場合、Ｓ３０５において分割記録＝許可と設定してＳ３０４の最適記録紙選択を行う。
【００３２】
Ｓ３０４の最適記録紙選択では、画像データの画素数、解像度、記録紙のサイズなどの情報から最適な記録紙が選択される。
【図面の簡単な説明】
【００３３】
【図１】本発明の実施例である受信記録装置を示すブロック図である。
【図２】本発明の実施例における、電子メール受信時の動作を示すフローチャートである。
【図３】本発明の実施例における、電子メール記録時の最適記録紙選択の動作を示すフローチャートである。
【図４】従来例における、テキストパート分割記録時の例を示す図である。
【符号の説明】
【００３４】
１００  受信記録装置
１０１  ＣＰＵ
１０２  ＲＯＭ
１０３  ＲＡＭ
１０４  スキャナ
１０５  プリンタ
１０６  ＣＯＤＥＣ
１０７  操作表示部
１０８  回線Ｉ／Ｆ
１０９  電話回線
１１０  ネットワークＩ／Ｆ
１１１  ネットワーク
【図１】
2007151002.tif 000003
【図２】
2007151002.tif 000004
【図３】
2007151002.tif 000005
【図４】
2007151002.tif 000006